(57)【要約】【課題】本発明は、コンパクトタイプの撮影装置で得られた画像データであっても、高度な画像処理を施すことが出来る、コストが抑えられた撮影システムおよびそのような撮影システムを構成するのに適した撮影装置を提供する。【解決手段】撮影して画像データを得る第１の撮影装置であって、画像データに画像処理を施す画像処理部と、他の撮影装置から送信されてくる画像データを受信して画像処理部に画像処理を施させ、画像処理が施された画像データを送信元の撮影装置に送信する通信部とを備えた第１の撮影装置；および撮影して画像データを得る第２の撮影装置であって、画像データを第１の撮影装置に送信し、第１の撮影装置から、画像データに画像処理が施されてなる画像データを受信する通信部と、通信部で受信された画像データを記録媒体に記録する記録部とを備えた第２の撮影装置を備える。【選択図】図３
2007166004.tif 000002
【特許請求の範囲】
【請求項１】
被写体光を撮影して撮影画像データを得る第１の撮影装置であって、
前記撮影画像データに画像処理を施す画像処理部と、
他の撮影装置から送信されてくる撮影画像データを受信して前記画像処理部に画像処理を施させ、その画像処理が施された撮影画像データを送信元の撮影装置に送信する通信部とを備えた第１の撮影装置；および
被写体光を撮影して撮影画像データを得る第２の撮影装置であって、
前記撮影画像データを前記第１の撮影装置に送信し、該第１の撮影装置から、該撮影画像データに画像処理が施されてなる撮影画像データを受信する通信部と、
前記通信部で受信された撮影画像データを記録媒体に記録する記録部とを備えた第２の撮影装置；
を備えたことを特徴とする撮影システム。
【請求項２】
前記第２の撮影装置の通信部が、前記撮影画像データとともに、該撮影画像データが得られた時の撮影状態を表す撮影情報も送信するものであり、
前記第１の撮影装置の通信部が、前記撮影画像データとともに、該撮影画像データが得られた時の撮影状態を表す撮影情報も受信するものであり、
前記第１の撮影装置の画像処理部が、前記通信部で受信された撮影画像データに対し、その撮影画像データとともに受信された撮影情報に基づいた画像処理を施すものであることを特徴とする請求項３記載の撮影システム。
【請求項３】
被写体光を撮影して撮影画像データを得る撮影装置であって、
前記撮影画像データに画像処理を施す画像処理部と、
他の撮影装置から送信されてくる撮影画像データを受信して前記画像処理部に画像処理を施させ、その画像処理が施された撮影画像データを送信元の撮影装置に送信する通信部とを備えたことを特徴とする撮影装置。
【請求項４】
前記通信部が、前記撮影画像データとともに、該撮影画像データが得られた時の撮影状態を表す撮影情報も受信するものであり、
前記画像処理部が、前記通信部で受信された撮影画像データに対し、その撮影画像データとともに受信された撮影情報に基づいた画像処理を施すものであることを特徴とする請求項１記載の撮影装置。
【発明の詳細な説明】
【技術分野】
【０００１】
本発明は、被写体光を撮影して撮影画像データを得て、画像処理を施し、記録媒体に記録する撮影システム、および撮影システムを構成する撮影装置に関する。
【背景技術】
【０００２】
近年、撮影装置を構成する様々な分野の技術革新に伴って、携帯性が重視されたコンパクトタイプの撮影装置から一眼レフカメラに代表される高機能・高性能な撮影装置まで、多種多様な撮影装置が用意されており、コンパクトタイプの撮影装置と高機能な撮影装置との両方の撮影装置を所持して、携帯性やコスト面を重視するならばコンパクトタイプの撮影装置で撮影し、機能や性能を重視するならば高機能・高性能な撮影装置で撮影するといった目的に応じて撮影装置を使い分けるユーザが増えている。
【０００３】
この高機能・高性能な撮影装置には、高倍率の望遠レンズや高解像度のＣＣＤといった高性能な撮影部品が備えられており、このような撮影部品を用いた高度な撮影機能も備えられている。更に近年では、撮影されたシーンを判別しシーンに応じた適切な色補正が画像に施される機能，フラッシュ撮影時に生じる赤目画像を正常な画像に補正する機能，シャッター速度に応じて画像データからノイズの成分を除去する機能などというような高度な画像処理機能の搭載が提案されている。このような画像処理機能は、コンパクトタイプの撮影装置にとって有用な機能であり、コンパクトタイプの撮影装置より得られた画像データに高度な画像処理を施したいという要望がある。
【０００４】
しかし、画像データにこのような高度な画像処理機能を施す回路としては、その機能の特殊性から特別に設計された回路か、あるいは汎用的な回路であっても能力が高い回路が必要となり、撮影装置を構成する内部機器の大型化・高コスト化を招いてしまい、携帯性やコスト面を重視するコンパクトタイプの撮影装置には搭載することが出来なかった。
【０００５】
この対応策の一手段として、コンパクトタイプの撮影装置とパーソナルコンピュータとが接続された撮影システムを構築し、コンパクトタイプの撮影装置より得られた画像データをパーソナルコンピュータに取込んで、パーソナルコンピュータによって画像データに画像処理を施す手段が挙げられる。しかし、この手段で画像データに高度な画像処理を施すためには、撮影装置と比較して高価なパーソナルコンピュータを別途導入する必要があるという問題や、パーソナルコンピュータに馴染みのないユーザには導入が困難であるという問題もある。
【０００６】
また、上記一手段とは別の対応策としては、撮影装置から画像処理部と画像格納部とが分離された、それらが互いにネットワークで接続された撮影システムが提案されている（例えば、特許文献１参照。）。この撮影システムによると、撮影装置によって得られた画像データがネットワークを介して画像処理部へ送られ、画像データに画像処理が施された後、再度ネットワークを介して画像格納部へ送られ、格納される。その為、画像処理部に上述したような高度な画像処理機能が搭載され画像処理部が大型化されても、画像処理部は撮影装置から切り離されているので、撮影装置の小型化・軽量化を図りつつ、且つ、得られた画像データに高度な画像処理を施すことが出来る。
【特許文献１】特開２００４−１９３６８３号公報
【発明の開示】
【発明が解決しようとする課題】
【０００７】
しかし、特許文献１に記載された撮影システムを構築するためには、撮影装置とは別に画像処理部と画像格納部を新たに購入し、且つ、各々がネットワークにつなげられる環境が必要となり、大きなコスト負荷が生じるため、コストパフォーマンスを考慮すると高機能・高性能な撮影装置を購入した方が良いことになる。また、コンパクトタイプの撮影装置と高機能な撮影装置との両方の撮影装置を所持しているユーザには、大きなコスト負荷が見込まれるだけでメリットが少ない。
【０００８】
本発明は、上記事情に鑑み、コンパクトタイプの撮影装置で得られた画像データであっても、高度な画像処理を施すことが出来る、コストが抑えられた撮影システムおよびそのような撮影システムを構成するのに適した撮影装置を提供することを目的とする。
【課題を解決するための手段】
【０００９】
上課題を解決する本発明の撮影システムは、
被写体光を撮影して撮影画像データを得る第１の撮影装置であって、
上記撮影画像データに画像処理を施す画像処理部と、
他の撮影装置から送信されてくる撮影画像データを受信して上記画像処理部に画像処理を施させ、その画像処理が施された撮影画像データを送信元の撮影装置に送信する通信部とを備えた第１の撮影装置；および
被写体光を撮影して撮影画像データを得る第２の撮影装置であって、
上記撮影画像データを上記第１の撮影装置に送信し、その第１の撮影装置から、その撮影画像データに画像処理が施されてなる撮影画像データを受信する通信部と、
上記通信部で受信された撮影画像データを記録媒体に記録する記録部とを備えた第２の撮影装置；
を備えたことを特徴とする。
【００１０】
本発明の撮影システムには、第１の撮影装置と第２の撮影装置との間で撮影画像データの授受を行う通信部が備えられている為、第１の撮影装置に備えられた画像処理部を撮影システム全体で共有して利用することが出来、例えばコンパクトタイプの撮影装置で得られた画像データであっても、高度な画像処理を施すことが出来る。また、通信部を備えるためのコストが小さいのに対して、画像処理部を共有することによるメリットは大きいので本発明の撮影システムはコストが抑えられていると言える。
【００１１】
本発明の撮影システムは、上記第２の撮影装置の通信部が、上記撮影画像データとともに、その撮影画像データが得られた時の撮影状態を表す撮影情報も送信するものであり、
上記第１の撮影装置の通信部が、上記撮影画像データとともに、その撮影画像データが得られた時の撮影状態を表す撮影情報も受信するものであり、
上記第１の撮影装置の画像処理部が、上記通信部で受信された撮影画像データに対し、その撮影画像データとともに受信された撮影情報に基づいた画像処理を施すものであることが望ましい。
【００１２】
この望ましい撮影システムによれば、撮影情報に従って撮影画像データに画像処理を施す画像処理部を有した第１の撮影装置が備えられている為、例えば、撮影情報としてシャッター速度を用いてシャッター速度に応じて画像データからノイズの成分を除去する高度なノイズリダクション等が実行可能となる。
【００１３】
上記課題を解決する本発明の撮影装置は、
被写体光を撮影して撮影画像データを得る撮影装置であって、
上記撮影画像データに画像処理を施す画像処理部と、
他の撮影装置から送信されてくる撮影画像データを受信して上記画像処理部に画像処理を施させ、その画像処理が施された撮影画像データを送信元の撮影装置に送信する通信部とを備えたことを特徴とする。
【００１４】
本発明の撮影装置には、上記画像処理部と上記通信部とが備えられている為、他の撮影装置から撮影画像データを受信することで、他の撮影装置の替わりに画像処理を行うことが出来、本発明の撮影システムの中核となってこの撮影システムを構成することができる。
【００１５】
本発明の撮影装置は、上記通信部が、上記撮影画像データとともに、その撮影画像データが得られた時の撮影状態を表す撮影情報も受信するものであり、
上記画像処理部が、上記通信部で受信された撮影画像データに対し、その撮影画像データとともに受信された撮影情報に基づいた画像処理を施すものであることが望ましい。
【００１６】
この望ましい撮影装置によれば、撮影情報に従って撮影画像データに画像処理を施す画像処理部を有した第１の撮影装置が備えられている為、例えば、撮影情報としてシャッター速度を用いてシャッター速度に応じて画像データからノイズの成分を除去する高度なノイズリダクション等が実行可能となる。
【発明の効果】
【００１７】
以上説明したように、本発明によれば、コンパクトタイプの撮影装置で得られた画像データであっても高度な画像処理を施すことが出来る、コストアップが抑えられた撮影システムおよびそのような撮影システムを構成するのに適した撮影装置が得られる。
【発明を実施するための最良の形態】
【００１８】
以下図面を参照して本発明の実施形態を説明する。
【００１９】
図１は、本発明の撮影システムの一実施形態に相当するカメラシステムを前面斜め上から見た外観斜視図である。
【００２０】
本実施形態のカメラシステム３００は、高度な画像処理機能を有した第１のデジタルカメラ１００と、最低限の画像処理機能を有した第２のデジタルカメラ２００との２つのデジタルカメラで構成されており、各々に備えられた無線ＬＡＮカード１０７，２０６によって、互いに画像データの授受が可能となっている。ここで、第１のデジタルカメラ１００が、本発明にいう第１の撮影装置の一例に相当し、第２のデジタルカメラ２００が、本発明にいう第２の撮影装置の一例に相当する。
【００２１】
第１のデジタルカメラ１００の前面中央部には、ズームレンズ１０１ａを内部に備えたズーム鏡胴１０１が備えられている。また、第１のデジタルカメラ１００の前面上部には、撮影に同期して閃光を発する閃光発光部１０２と、閃光発光部１０２からの閃光の光量を制御するためにその閃光の光量を検出する閃光調光センサ１０３と、光学式ファインダを構成する光学式がファインダ対物窓１０４とが備えられている。さらに、第１のデジタルカメラ１００の上面には、シャッタレリーズボタン１０８と、各種の設定を行うためのモードダイヤル１０９と、電源ボタン１１０とが備えられている。また、第１のデジタルカメラ１００の前面左側には、このデジタルカメラ１００を確実に握ることが出来る形状を有するグリップ１０５が備えられており、デジタルカメラ１００の側面には、無線通信を行うための無線ＬＡＮカード１０７が備えられている。
【００２２】
一方、第２のデジタルカメラ２００の前面中央部には、撮影レンズ２０１が備えられており、前面上部には光学式ファインダ対物窓２０２および閃光発光部２０３が備えられている。さらに、第２のデジタルカメラ２００の上面には、スライド式の電源スイッチ２０４、静止画撮影を指示するためのシャッタレリーズボタン２０５が備えられており、側面には無線通信を行うための無線ＬＡＮカード２０６が備えられている。
【００２３】
図２は、図１で示したカメラシステムを背面斜め上から見た外観斜視図である。
【００２４】
第１のデジタルカメラ１００の背面上部には、図１で示した閃光発光部１０２をポップアップするためのポップアップボタン１１１と、露出補正ボタン１１２と、押下することにより広角側（ワイド側）にズームアップする広角ズームボタン１１３と、押下することにより望遠側（テレ側）にズームアップする望遠ズームボタン１１４と、撮影モード側１１５ａと再生モード側１１５ｂとに切り換えるモードスイッチ１１５と、光学式ファインダ接眼窓１２１とが備えられている。
【００２５】
また、モードスイッチ１１５の下側には、フォードモードボタン１１６と、十字ボタン１１７と、ＭＥＮＵ／ＯＫボタン１１８と、ＤＩＳＰ／ＢＡＣＫボタン１１９とが備えられている。さらに、第１のデジタルカメラ１００の背面中央部には、ＬＣＤパネル１２０が備えられている。
【００２６】
フォトモードボタン１１６は、ピクセル数，感度，色味，プリント枚数等を設定するためのボタンである。
【００２７】
十字ボタン１１７は、ＬＣＤパネル１２０上にメニュー画面などが表示された場合には、その十字ボタン１１７の上ボタン１１７ａ、下ボタン１１７ｂ、左ボタン１１７Ｃ、右ボタン１１７ｄの４つのボタンを操作することによって、メニューの選択を行うことができる。
【００２８】
ＭＥＮＵ／ＯＫボタン１１８は、撮影時や再生時における各種のメニューを表示したり、選択されたメニューを決定したりするためのボタンである。
【００２９】
ＤＩＳＰ／ＢＡＣＫボタン１１９は、ＤＩＳＰボタンおよびＢＡＣＫボタン双方の役割を担うボタンである。ＤＩＳＰボタンの役割をなす場合は、ＬＣＤパネル１２０に表示された画面の状態を切り換えるボタンとなり、例えば撮影時にＬＣＤパネル１２０の表示をオン，オフしたり、再生時に文字表示をオン，オフしたりする。一方、ＢＡＣＫボタンの役割をなす場合は、ＭＥＮＵ／ＯＫボタン１１８等による操作状態を１つ前に戻したり取り消したりするためのボタンである。
【００３０】
ＬＣＤパネル１２０は、第１のデジタルカメラ１００で被写体光を捉えて生成された画像データに基づく画像、及びメッセージ表示用の文字データに基づくメッセージを表示する。
【００３１】
一方、第２のデジタルカメラ２００の背面には、メニューボタン２０７，実行／画面切換スイッチ２０８，ＬＣＤパネル２０９，十字キー２１０，モードダイヤル２１１，光学式ファインダ接眼窓２１２が備えられている。
【００３２】
メニューボタン２０７は、操作時や再生時における各種メニューを決定する為のボタンである。
【００３３】
ＬＣＤパネル２０９は、第２のデジタルカメラ２００で被写体光を捉えて生成された画像データに基づく画像及びメッセージ表示用の文字データに基づくメッセージを表示する。
【００３４】
モードダイヤル２１１は、図中の両矢印で示す方向に回転することができるダイヤルとなっており、ユーザは、このモードダイヤル２１１を操作することによって、静止画撮影モード（Ｃａｍ），再生モード（Ｐｌａｙ），動作設定を行うモードである動作設定モード（Ｓｅｔｕｐ）の３つのモードが選択できる。この図２では、再生モード（Ｐｌａｙ）が選択された状態が示されている。
【００３５】
図３は、図１および図２に外観が示されたカメラシステムの内部構成図である。尚、この図３に示す実線で示された各矢印は制御線を表わしたものである。また、図１及び図２で示したように、第１のデジタルカメラ１００と第２のデジタルカメラ２００は異なった外観をしているが、図３で示すように、第１のデジタルカメラ１００に、図１にも示した閃光調光センサ１０３が備えられている以外は、内部の基本構成は同じで、その機能に関しては共通するものが多い。しかし、上述したように、第１のデジタルカメラ１００に備えられた画像処理部３０２は高度な画像処理機能を有しており、それに対して第２のデジタルカメラ２００に備えられた画像処理部３１４は、撮像部３０１で得られたアナログの画像信号をデジタル化された画像データに変換し、ＪＰＥＧ形式に圧縮する程度の最低限の画像処理機能を有しているといった大きな違いがある。ここで、第１のデジタルカメラに備えられている画像処理部３０２が本発明にいう画像処理部の一例に相当している。次に、カメラシステム３００の内部の基本構成について説明するが、閃光発光部１０２，２０３や閃光調光センサ１０３については、図１で既に説明を終えており、以下では重複説明を避けるため説明を省略する。
【００３６】
図３では、図２に示すモードダイヤル１０９などの各種のスイッチやボタンは、操作部３０７として一括して示されている。従って、例えばモードダイヤルが押されることによる静止画撮影の指示などは、この操作部３０７の操作に含まれる。
【００３７】
デジタルカメラ１００，２００には、各部の制御を行うＣＰＵ３０８、ＣＰＵ３０８が実行する動作の手順を示したプログラムを格納するＲＯＭ３０９が備えられており、操作部３０７が操作されると、このプログラムに従ってＣＰＵ３０８が、その操作に応じた処理を実行する。また、第１のデジタルカメラには、各部の処理プロセスの進行状況に応じて変数となるデータが随時書き込まれるＲＡＭ３１０が備えられている。そして、ＣＰＵ３０８は各部との間でバス１２００を介してデータの受け渡しを行うことで、上述した処理を実行する。
【００３８】
また、デジタルカメラ１００，２００には、フォーカスレンズ、ズームレンズ、絞りなどの不図示の光学系や、撮像素子の一種であるＣＣＤが配備された撮像部３０１と、画像処理機能を有した画像処理部３０２，３１４と、ＣＰＵ３０８からの指示を受けて図２で示したＬＣＤパネル１２０，２０９に画像やメニュー画面を表示させる画像表示部３０４とが備えられている。
図３で１点鎖線で示す被写体光は、常時、この撮像部３０１内のＣＣＤにおいて、被写体光を表わすアナログの画像信号に変換される。このアナログの画像信号は、画像処理部３０２，３１４において処理され、最終的にデジタル化された画像データとなり、画像表示の制御を行う画像表示部３０４を介してＬＣＤパネル上に、この画像データで表された画像（いわゆるスルー画）が表示される。
【００３９】
さらに、デジタルカメラ１００，２００には、バッファメモリ３０３、メモリカード３１３が備えられている。図２で示したモードダイヤル１０９，２１１が操作され、静止画撮影モード（Ｃａｍ）が選択されて、図１で示したシャッタレリーズボタン１０８，２０５が操作された場合には、画像処理部３０２，３１４において処理された画像データが一時的にバッファメモリ３０３に保存され、ＪＰＥＧ圧縮が施された後、メモリカード３１３に記録される。ここで、画像記録部３０６、およびメモリカード３１３によって本発明にいう記録部の一例が構成されている。
【００４０】
また、デジタルカメラ１００，２００には、外部との通信を行うために無線通信制御部３１１とアンテナ３１２とが備えられており、画像データの授受を行うことが出来る。図３の２点鎖線は、第１のデジタルカメラ１００と第２のデジタルカメラ２００との画像データの授受を表している。ここで、無線通信制御部３１１とアンテナ３１２とによって本発明にいう第１の撮影装置及び第２の撮影装置それぞれの通信部の各一例が構成されている。
以上で、カメラシステム３００の内部の基本構成について説明を終えるが、このカメラシステム３００には、この第１のデジタルカメラ１００と第２のデジタルカメラ２００との間で画像データを授受することよって、画像処理を代替する代替機能が備えられており、この代替機能では、第２のデジタルカメラで撮影されて得られた画像データが第１のデジタルカメラに受信され、高度な画像処理が施された後、第２のデジタルカメラに送信されて記録される。
【００４１】
この画像処理の代替機能が用いられると、第２のデジタルカメラ２００に最低限の画像処理機能を有した画像処理部３１４しか備えられていなくても、高度な画像処理機能が施された画像データが、第２のデジタルカメラによる撮影で入手できることとなる。
【００４２】
次に、本実施形態のカメラシステム３００における画像記録処理について説明する。
【００４３】
図４は、本実施形態のカメラシステムの画像記録処理が示されたフローチャートである。
【００４４】
ここで、このフローチャートが始まる前には、画像処理の代替機能の使用、不使用を選ぶ機能選択が予め済んでいるものとする。
【００４５】
はじめに、シャッタレリーズボタンが押下されると撮影が実行され（図４のステップＳ１）、得られた画像データは、第２のデジタルカメラ２００のＲＡＭ３１０に一旦記録される。上記機能選択で代替機能の使用が選択済みである場合（図４のステップＳ２：Ｎｏ）、第２のデジタルカメラ２００が画像処理を依頼する第１のデジタルカメラ１００を探索し（図４のステップＳ３）、第１のデジタルカメラ１００を検出すると（図４のステップＳ４：Ｙｅｓ）、無線通信の接続処理が行われる（図４のステップＳ５）。そして、第１のデジタルカメラと第２のデジタルカメラ２００との間で無線通信の接続が確立されると（図４のステップＳ６：Ｙｅｓ）、第２のデジタルカメラ２００から第１のデジタルカメラ１００に、画像データと、画像データが得られた時の例えばシャッター速度等を表す撮影情報とが送信され、また、画像処理の代替実行と処理後の画像データの返送とが依頼される（図４のステップＳ７）。そして、第１のデジタルカメラ１００が上記の画像データと撮影情報を受信して、上記の依頼を受けると（図４のステップＳ８）、第１のデジタルカメラ１００は、撮影されたシーンを判別して、シーンに応じた適切な色補正を画像に施し、また、フラッシュ撮影時に生じる赤目画像に補正処理を施し、さらに、シャッター速度に応じて画像データからノイズの成分を除去する高度なノイズリダクションを施す（図４のステップＳ９〜Ｓ１０）。ここで、ステップＳ８〜Ｓ１０において、第１のデジタルカメラ１００によって画像データに画像処理が施されている間、第２のデジタルカメラ２００は待機を続けるが（図４のステップＳ１１：Ｎｏ）、第１のデジタルカメラから画像データの受信の要求が行われると（図４のステップＳ１１：Ｙｅｓ）、第１のデジタルカメラ１００から第２のデジタルカメラ２００へ画像データが送信される（図４のステップＳ１２）。第２のデジタルカメラ２００は、第１のデジタルカメラ１００から画像データを受信し（図４のステップＳ１３）、メモリカードに記録して（図４のステップＳ１４）、この撮影システムにおける画像記録処理が終了される。
【００４６】
上述したように、ステップＳ１からステップＳ１３までの各ステップを経てステップＳ１４へ進む処理手順によれば、画像処理の代替機能が実行される。このため、第２のデジタルカメラ２００で得られた画像データに高度な画像処理を施すことができる。
なお、上記機能選択で代替機能の不使用が選択済みである場合（図４のステップＳ２：Ｙｅｓ）や、第２のデジタルカメラ２００が画像処理を依頼する第１のデジタルカメラ１００が検出されなかった場合（図４のステップＳ４：Ｎｏ）や、第２のデジタルカメラ２００によって、無線通信による接続処理が確立できなかった場合には（ステップＳ６：Ｎｏ）、第２のデジタルカメラ２００に備えられた画像処理部３１４によって画像処理が行われ（図４のステップＳ１５）、メモリカードに記録される（図４のステップＳ１４）。つまり、これらの場合には、従来の画像処理と同様に、画像データには最低限の画像処理しか施されない。
【００４７】
以上説明したように、本発明によれば、コンパクトタイプの撮影装置で得られた画像データであっても高度な画像処理を施すことが出来る、コストアップが抑えられた撮影システムおよびそのような撮影システムを構成するのに適した撮影装置が得られる。
【００４８】
なお、上記説明では、通信機能を有したデジタルカメラに本発明を適用した例で説明したが、本発明は、これに限られるものではなく、例えば、撮影機能を有する携帯電話や携帯情報端末などにも適用することが出来る。
【００４９】
また、上記説明では、撮影情報に基づいたノイズリダクション，赤目補正処理，シーン解析による色補正という３種類の処理を行うものを例示したが、本発明の画像処理部は、これらの処理以外の処理も行うものであってもよく、これらの処理の１つだけを行うものであってもよい。
【００５０】
また、上記説明では、第１のデジタルカメラと第２のデジタルカメラ間の画像データ等の通信方法として、無線ＬＡＮカードを用いた例で説明したが、本発明は、これに限られるものではなく、例えば、赤外線通信やＵＳＢケーブルなどを介した通信方法であっても良い。
【００５１】
また、上記説明では、第１のデジタルカメラと第２のデジタルカメラとが直接通信される形式で説明したが、本発明は、これに限られるものではなく、例えば、ネットワーク等を経由して間接通信される形式であっても良い。
【図面の簡単な説明】
【００５２】
【図１】本発明の撮影システムの一実施形態に相当するカメラシステムを前面斜め上から見た外観斜視図である。
【図２】図１で示したカメラシステムを背面斜め上から見た外観斜視図である。
【図３】図１および図２に外観が示されたカメラシステムの内部構成図である。
【図４】本実施形態のカメラシステムの画像処理が示されたフローチャートである。
【符号の説明】
【００５３】
１００    第１のデジタルカメラ
１０１    ズーム鏡胴
１０１ａ  ズームレンズ
１０２    閃光発光部
１０３    閃光調光センサ
１０４    ファインダ対物窓
１０５    グリップ
１０７    無線ＬＡＮカード
１０８    シャッタレリーズボタン
１０９    モードダイヤル
１１０    電源ボタン
１１１    ポップアップボタン
１１２    露出補正ボタン
１１３    広角ズームボタン
１１４    望遠ズームボタン
１１５    モードスイッチ
１１５ａ  撮影モード側
１１５ｂ  再生モード側
１１６    フォードモードボタン
１１７    十字ボタン
１１７ａ  上ボタン
１１７ｂ  下ボタン
１１７ｃ  左ボタン
１１７ｄ  右ボタン
１１８    ＭＥＮＵ／ＯＫボタン
１１９    ＤＩＳＰ／ＢＡＣＫボタン
１２０    ＬＣＤボタン
１２１    光学式ファインダ接眼窓
２００    第１のデジタルカメラ
２０１    撮影レンズ
２０２    光学式ファインダ対物窓
２０３    閃光発光部
２０４    電源スイッチ
２０５    シャッタレリーズボタン
２０６    無線ＬＡＮカード
２０７    メニューボタン
２０８    実行／画面切換スイッチ
２０９    ＬＣＤパネル
２１０    十字キー
２１１    モードダイヤル
２１２    光学式ファインダ接眼窓
３００    カメラシステム
３０１    撮影部
３０２    画像処理部
３０３    バッファメモリ
３０４    画像表示部
３０５    ＬＣＤパネル
３０６    画像記憶部
３０７    操作部
３０８    ＣＰＵ
３０９    ＲＯＭ
３１０    ＲＡＭ
３１１    無線通信制御部
３１２    アンテナ
３１３    メモリカード
３１４    画像処理部
１２００  バス
【図１】
2007166004.tif 000003
【図２】
2007166004.tif 000004
【図３】
2007166004.tif 000005
【図４】
2007166004.tif 000006